(57)【要約】【課題】照明システムの電波環境に関する信頼性を向上する。【解決手段】照明システム１００は、電波計測信号を送信する無線通信装置２１と、電波計測信号を受信する時に、電波計測信号の電波強度を計測し、電波強度に関する電波強度情報を無線通信装置２１に返信する複数の照明器具１〜ｎと、電波強度または電波強度情報を用いて照明システム１００の状態を判断する判定部と、を備える。判定部は、１）照明器具１〜ｎの全ての電波強度情報の返信を確認できた場合に良好状態であると判定し、照明器具１〜ｎのうち電波強度情報の返信を確認できない少なくとも１つの照明器具がある場合に良好状態でないと判定する、または、２）照明器具１〜ｎの全ての電波強度が基準値より大きい場合に良好状態であると判定し、複数の照明器具１〜ｎのうち電波強度が前記基準値以下である少なくとも１つの照明器具がある場合に良好状態でないと判定する。【選択図】図２Ｃ
2019008951.tif 000002
【特許請求の範囲】
【請求項１】
照明システムであって、
電波強度を計測する指示である電波計測信号を送信する無線通信装置と、
前記電波計測信号を受信する時に、前記電波計測信号の電波強度を計測し、前記電波強度に関する電波強度情報を前記無線通信装置に返信する複数の照明器具と、
前記電波強度または前記電波強度情報を用いて前記照明システムの状態を判断する判定部と、を備え、
前記判定部は、
１）前記複数の照明器具の全ての前記電波強度情報の返信を確認できた場合に前記照明システムが良好状態であると判定し、前記複数の照明器具のうち前記電波強度情報の返信を確認できない少なくとも１つの照明器具がある場合に前記照明システムが良好状態でないと判定する、または２）前記複数の照明器具の全ての前記電波強度が基準値より大きい場合に前記照明システムが良好状態であると判定し、前記複数の照明器具のうち前記電波強度が前記基準値以下である少なくとも１つの照明器具がある場合に前記照明システムが良好状態でないと判定する
照明システム。
【請求項２】
さらに、前記判定部を有する端末装置を備え、
前記無線通信装置は、送信された前記電波強度情報を前記端末装置に送信し、
前記端末装置の前記判定部は、送信された前記電波強度情報に基づいて前記判定を行う
請求項１に記載の照明システム。
【請求項３】
前記無線通信装置は複数であり、
さらに、複数の前記無線通信装置と通信する照明コントローラと、前記判定部を有する端末装置とを備え、
前記無線通信装置のそれぞれは、送信された前記電波強度情報を前記照明コントローラに送信し、
前記照明コントローラは、送信された前記電波強度情報を前記端末装置に送信し、
前記端末装置の前記判定部は、送信された前記電波強度情報に基づいて前記判定を行う
請求項２に記載の照明システム。
【請求項４】
前記無線通信装置は、前記端末装置を発信源とする計測開始信号を受信することで、前記複数の照明器具に前記電波計測信号を送信する
請求項２または３に記載の照明システム。
【請求項５】
前記照明システムが良好状態でないと判定された場合に、
前記端末装置は、前記電波強度が基準値以下である前記少なくとも１つの照明器具に前記電波計測信号を再び送信するか否かの操作を受け付ける画面を表示する
請求項２〜４のいずれか１項に記載の照明システム。
【請求項６】
前記照明システムが良好状態でないと判定された場合に、
前記端末装置は、前記無線通信装置に対して、前記電波強度が基準値以下である前記少なくとも１つの照明器具に前記電波計測信号を再び送信するように、前記計測開始信号を送信する
請求項５に記載の照明システム。
【請求項７】
前記端末装置は、前記判定を複数回行い、前記判定の回数が規定回数を超えた場合に、対応事項を画面に表示する
請求項６に記載の照明システム。
【請求項８】
前記端末装置は、前記複数の照明器具それぞれの前記電波強度を画面に表示する
請求項２〜７のいずれか１項に記載の照明システム。
【請求項９】
さらに、前記判定部を有するサーバを備え、
前記端末装置は、送信された前記電波強度情報を前記サーバに送信し、
前記サーバの前記判定部は、送信された前記電波強度情報に基づいて前記判定を行う
請求項２〜８のいずれか１項に記載の照明システム。
【請求項１０】
前記複数の照明器具のそれぞれは、計測した前記電波強度が基準値より大きい場合に電波状態が良好であると判定し、前記電波強度が前記基準値以下である場合に電波状態が良好でないと判定し、判定した結果を自身の点灯状態で示す
請求項１〜９のいずれか１項に記載の照明システム。
【請求項１１】
前記無線通信装置と前記複数の照明器具とのペアリングを行う際に、前記無線通信装置に対して前記複数の照明器具のうち一部の照明器具しかペアリングされておらず、前記一部の照明器具と異なる他の照明器具のペアリングを中断する場合に、
前記無線通信装置は、前記電波計測信号を前記一部の照明器具に送信し、
前記一部の照明器具のそれぞれは、前記電波計測信号を受信することで、前記電波計測信号の電波強度を計測し、前記電波強度情報を前記無線通信装置に返信し、
前記端末装置は、前記電波強度情報を保存する記憶部を備える
請求項２〜１０のいずれか１項に記載の照明システム。
【請求項１２】
前記電波強度情報を保存した後、前記無線通信装置に対して前記複数の照明器具の全てのペアリングを終えた場合に、
前記無線通信装置は、前記電波計測信号を少なくとも前記一部の照明器具に再び送信し、
前記一部の照明器具のそれぞれは、前記電波計測信号を受信することで、前記電波計測信号の電波強度を再び計測し、
前記端末装置は、保存した前記電波強度情報に含まれる前記電波強度と、再び計測した前記電波強度とを比較して出力する比較部を備える
請求項１１に記載の照明システム。
【請求項１３】
前記無線通信装置は、前記判定が行われた後において、前記電波強度が基準値以下である前記少なくとも１つの照明器具と通信する場合に、前記電波計測信号を送信した際よりも送信出力を上げて通信を行う
請求項１〜１２のいずれか１項に記載の照明システム。
【請求項１４】
前記無線通信装置は、前記判定が行われた後において、前記電波強度が基準値以下である前記少なくとも１つの照明器具と通信する場合に、前記電波計測信号を送信した際よりも通信回数を増やして通信を行う
請求項１〜１２のいずれか１項に記載の照明システム。
【請求項１５】
前記無線通信装置は、前記判定が行われた後において、前記電波強度が基準値以下である前記照明器具と通信する場合に、前記電波計測信号を送信した際よりも連送レートを低くして通信を行う
請求項１〜１２のいずれか１項に記載の照明システム。
【請求項１６】
複数の照明器具と、前記複数の照明器具と通信する無線通信装置とを備える照明システムの良否判定方法であって、
電波強度を計測する指示である電波計測信号を前記複数の照明器具に送信し、
前記電波計測信号を受信する時に、前記電波計測信号の電波強度を計測し、前記電波強度に関する電波強度情報を前記無線通信装置に送信し、
１）前記複数の照明器具の全ての前記電波強度情報の返信を確認できた場合に前記照明システムが良好状態であると判定し、前記複数の照明器具のうち前記電波強度情報の返信を確認できない少なくとも１つの照明器具がある場合に前記照明システムが良好状態でないと判定する、または
２）前記複数の照明器具の全ての前記電波強度が基準値より大きい場合に前記照明システムが良好状態であると判定し、前記複数の照明器具のうち少なくとも１つの前記電波強度が前記基準値以下である場合に前記照明システムが良好状態でないと判定する
照明システムの良否判定方法。
【発明の詳細な説明】
【技術分野】
【０００１】
本発明は、照明器具と無線通信装置とを備える照明システム、および、この照明システムの良否判定方法に関する。
【背景技術】
【０００２】
従来、複数の照明器具と、複数の照明器具と通信する無線通信装置とを備える照明システムが知られている（例えば特許文献１参照）。この種の照明システムでは、無線通信装置および複数の照明器具が建物の造営材等に設置された後、無線通信装置と各照明器具とのペアリング作業が行われる。
【先行技術文献】
【特許文献】
【０００３】
【特許文献１】特開２０１６−１７８０１４号公報
【発明の概要】
【発明が解決しようとする課題】
【０００４】
しかしながら、例えば、照明器具の台数が多く、ペアリング作業が複数日に跨る場合は、建物内における新たな設置物の据え付けなどによって、無線通信装置および各照明器具の電波環境が変化することがある。そのため、電波環境が変化する前の照明システムでは、利用者の意図通りに照明器具が作動しないことがある。
【０００５】
そこで、本発明は、電波環境に関する信頼性を向上する照明システム等を提供することを目的とする。
【課題を解決するための手段】
【０００６】
本発明の照明システムの一態様は、照明システムであって、電波強度を計測する指示である電波計測信号を送信する無線通信装置と、前記電波計測信号を受信する時に、前記電波計測信号の電波強度を計測し、前記電波強度に関する電波強度情報を前記無線通信装置に返信する複数の照明器具と、前記電波強度または前記電波強度情報を用いて前記照明システムの状態を判断する判定部と、を備え、前記判定部は、１）前記複数の照明器具の全ての前記電波強度情報の返信を確認できた場合に前記照明システムが良好状態であると判定し、前記複数の照明器具のうち前記電波強度情報の返信を確認できない少なくとも１つの照明器具がある場合に前記照明システムが良好状態でないと判定する、または２）前記複数の照明器具の全ての前記電波強度が基準値より大きい場合に前記照明システムが良好状態であると判定し、前記複数の照明器具のうち前記電波強度が前記基準値以下である少なくとも１つの照明器具がある場合に前記照明システムが良好状態でないと判定する。
【０００７】
本発明の照明システムの良否判定方法の一態様は、複数の照明器具と、前記複数の照明器具と通信する無線通信装置とを備える照明システムの良否判定方法であって、電波強度を計測する指示である電波計測信号を前記複数の照明器具に送信し、前記電波計測信号を受信する時に、前記電波計測信号の電波強度を計測し、前記電波強度に関する電波強度情報を前記無線通信装置に送信し、１）前記複数の照明器具の全ての前記電波強度情報の返信を確認できた場合に前記照明システムが良好状態であると判定し、前記複数の照明器具のうち前記電波強度情報の返信を確認できない少なくとも１つの照明器具がある場合に前記照明システムが良好状態でないと判定する、または２）前記複数の照明器具の全ての前記電波強度が基準値より大きい場合に前記照明システムが良好状態であると判定し、前記複数の照明器具のうち少なくとも１つの前記電波強度が前記基準値以下である場合に前記照明システムが良好状態でないと判定する。
【発明の効果】
【０００８】
本発明の照明システム等は、電波環境に関する信頼性を向上することができる。
【図面の簡単な説明】
【０００９】
【図１】従来の照明システムと実施の形態１に係る照明システムとを比較する概略図である。
【図２Ａ】実施の形態１に係る照明システムの模式図である。
【図２Ｂ】実施の形態１に係る照明システムの構成を示すブロック図である。
【図２Ｃ】実施の形態１に係る照明システムの良否判定フローを示す図である。
【図２Ｄ】実施の形態１に係る照明システムの端末装置の表示入力部を示す図である。
【図２Ｅ】実施の形態１に係る照明システムにおいて電波強度情報の返信有無を確認するフローチャートである。
【図３】実施の形態２に係る照明システムにおいて電波強度を確認するフローチャートである。
【図４Ａ】実施の形態３に係る照明システムの良否判定フローを示す図である。
【図４Ｂ】実施の形態３に係る照明システムにおいて電波強度情報の返信回数を確認するフローチャートである。
【図５Ａ】実施の形態４に係る照明システムの模式図である。
【図５Ｂ】実施の形態４に係る照明システムの構成を示すブロック図である。
【図５Ｃ】実施の形態４に係る照明システムの良否判定フローを示す図である。
【図６Ａ】実施の形態５に係る照明システムの良否判定フローを示す図である。
【図６Ｂ】実施の形態５に係る照明システムの端末装置の表示入力部を示す図である。
【図７】実施の形態６に係る照明システムの端末装置の表示入力部を示す図である。
【図８】実施の形態７に係る照明システムの端末装置の表示入力部を示す図である。
【図９】実施の形態８に係る照明システムの良否判定フローを示す図である。
【図１０Ａ】実施の形態９に係る照明システムの構成を示すブロック図である。
【図１０Ｂ】実施の形態９に係る照明システムの良否判定フローを示す図である。
【発明を実施するための形態】
【００１０】
（実施の形態１）
［１−１．照明システムの概要］
まず、本実施の形態に係る照明システムの概要について説明する。図１は、従来の照明システムと実施の形態１に係る照明システムとを比較する概略図である。
【００１１】
これらの照明システムは、複数の照明器具と、複数の照明器具と通信する無線通信装置とを備えており、無線通信装置および各照明器具が建物の造営材等に設置された後、施工業者によって無線通信装置と各照明器具とのペアリング作業が行われる。ペアリング作業とは、無線通信装置と各照明器具間で、お互いに通信相手を特定できる状態にする作業である。従来の照明システムでは、ペアリング作業が行われた後、図１の（ａ）に示すように、当初の設定状態のまま、利用者であるユーザに引き渡されることが多い。
【００１２】
しかしながら、ペアリング作業が複数の日数に跨る場合は、建物内における新たな設置物の据え付けまたは設置物の移動などによって、無線通信装置および各照明器具の電波環境が変化する。そのため、電波環境が変化する前の設定状態の照明システムでは、利用者の意図通りに照明器具が作動しないことがある。
【００１３】
そこで、本実施の形態では、照明システムを利用者に引き渡す前に、図１の（ｂ）に示すように、照明システムの電波環境の確認を行い、照明システムを動作保証できる状態としている。なお、動作保証できる状態とは、照明システムを利用者に安心して引き渡せる状態にあることをいう。
【００１４】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１５】
なお、各図は、模式図であり、必ずしも厳密に図示されたものではない。また、各図において、実質的に同一の構成に対しては同一の符号を付しており、重複する説明は省略または簡略化する。
【００１６】
［１−２．照明システムの構成］
図２Ａは、実施の形態１に係る照明システム１００の模式図である。図２Ｂは、照明システム１００の構成を示すブロック図である。
【００１７】
照明システム１００は、複数の照明器具１、２〜ｎ（ｎは２以上の整数）と、無線通信装置２１と、端末装置３０とを備える。複数の照明器具１〜ｎのそれぞれと無線通信装置２１とは、無線ｒ１によって通信可能となっている。無線ｒ１による通信方式としては、９２０ＭＨｚ帯または２．４ＧＨｚ帯の周波数を利用した特定小電力無線、Zigbee（登録商標）、Bluetooth（登録商標）、または、ＷｉＦｉ（登録商標）などの方式が用いられる。端末装置３０は、ＷｉＦｉ（登録商標）などの無線ｒ２によって、無線通信装置２１と通信可能となっている。
【００１８】
照明器具１〜ｎは、例えば、ＬＥＤライトである。照明器具１〜ｎは、建物の造営材（天井など）に１００台以上設置されることがある。以下、照明器具１〜ｎのうち照明器具１を代表例に挙げて説明する。
【００１９】
照明器具１は、外部の無線通信装置２１と通信する通信部１０ａと、点灯部１０ｂと、通信部１０ａおよび点灯部１０ｂに接続された制御部１０ｃとを備えている。
【００２０】
通信部１０ａは、アンテナおよび無線モジュールなどにより構成されている。通信部１０ａは、前述したように、無線ｒ１にて無線通信装置２１と通信する。
【００２１】
点灯部１０ｂは、例えば、白色光、赤色光、緑色光または青色光を発する複数の発光ダイオードなどの光源を含む。
【００２２】
制御部１０ｃは、ＣＰＵ（central  processing  unit）、ＲＡＭ（Random  Access  Memory）およびＲＯＭ（read  only  memory）などにより構成される。制御部１０ｃには、ＭＡＣアドレス（Media  Access  Control  address）など、照明器具１自身の識別子が記憶されている。制御部１０ｃは、例えば端末装置３０の指示に基づいて点灯部１０ｂの作動状態を制御する。
【００２３】
また、制御部１０ｃは、電波強度を計測する計測部１０ｄを有している。具体的に計測部１０ｄは、電波強度を計測する指示である電波計測信号に基づいて、無線通信装置２１から送信された電波計測信号そのものの電波強度を計測する。計測された電波強度に関する電波強度情報は、通信部１０ａを介して無線通信装置２１に送信される。
【００２４】
無線通信装置２１は、例えば、無線コントローラまたは無線アダプタである。無線通信装置２１は、照明器具１と通信する通信部２０ａと、端末装置３０と通信する通信部２０ｂと、通信部２０ａおよび通信部２０ｂに接続された制御部２０ｃとを備えている。
【００２５】
通信部２０ａおよび２０ｂは、アンテナおよび無線モジュールなどにより構成されている。通信部２０ｂは、前述したように、無線ｒ２によって端末装置３０と通信する。
【００２６】
制御部２０ｃは、ＣＰＵ、ＲＡＭおよびＲＯＭなどにより構成される。制御部２０ｃには、ＭＡＣアドレスなど、無線通信装置２１自身の識別子が記憶されている。制御部２０ｃは、通信部２０ｂを介して、端末装置３０を発信源とする計測開始信号を受信する。計測開始信号とは、照明システム１００において電波強度の計測を開始するための指示信号である。制御部２０ｃは、この計測開始信号を受信することで、通信部２０ａを介して複数の照明器具１〜ｎに電波計測信号を送信する。
【００２７】
また、制御部２０ｃは、各照明器具１〜ｎにて計測されかつ送信された各電波強度情報を集計し、この集計された情報を、通信部２０ｂを介して端末装置３０に送信する。
【００２８】
端末装置３０は、無線通信装置２１を介して、照明器具１〜ｎの点灯動作に関する設定または制御を行う。端末装置３０は、無線通信装置２１を子機とした場合の親機コントローラに相当する。図２Ａに示す端末装置３０は、携帯型の操作端末であるが、据え置き型のコンピュータ端末であってもよい。
【００２９】
端末装置３０は、通信部３０ａと、表示入力部３０ｂと、通信部３０ａおよび表示入力部３０ｂに接続された制御部３０ｃとを備えている。制御部３０ｃは、判定部３０ｄと、記憶部３０ｅと、比較部３０ｆとを備えている。
【００３０】
通信部３０ａは、アンテナおよび無線モジュールなどにより構成されている。通信部３０ａは、前述したように無線ｒ２によって無線通信装置２１と通信する。なお、通信部３０ａと無線通信装置２１とは有線で通信可能であってもよい。
【００３１】
表示入力部３０ｂは、例えばタッチパネルであり、照明器具１〜ｎの電波状態を表示し、また、無線通信装置２１および照明器具１〜ｎに対する操作を入力する部分である。
【００３２】
制御部３０ｃは、ＣＰＵを備えている。制御部３０ｃは、表示入力部３０ｂのキー操作によって入力された指令を、通信部３０ａを介して無線通信装置２１に送信する。記憶部３０ｅは、ＲＡＭおよびＲＯＭなどにより構成されている。記憶部３０ｅには、建物内における照明器具１〜ｎおよび無線通信装置２１のレイアウト図が保存され、また、上記の電波強度情報が保存される。比較部３０ｆは、保存された電波強度情報を比較し、比較結果を表示入力部３０ｂに出力する。判定部３０ｄは、無線通信装置２１から送信された各電波強度情報に基づいて、照明システム１００における電波環境が良好状態であるか否かの判定を行う。
【００３３】
本実施の形態において、判定部３０ｄは、無線通信装置２１を介して照明器具１〜ｎの全ての電波強度情報の返信を確認できた場合に照明システム１００が良好状態であると判定する。また、判定部３０ｄは、照明器具１〜ｎのうち少なくとも１つの電波強度情報の返信を確認できなかった場合に照明システム１００が良好状態でないと判定するように構成されている。このように、本実施の形態の照明システム１００では、照明システム１００の電波環境を確認することができ、照明システム１００の信頼性を高めることができる。
【００３４】
［１−３．照明システムの良否判定方法］
次に、照明システム１００の良否判定方法について説明する。図２Ｃは、照明システム１００の良否判定フローを示す図である。図２Ｄは、照明システム１００の端末装置３０の表示入力部３０ｂを示す図である。
【００３５】
まず、端末装置３０にて、無線通信装置２１に前述した計測開始信号を送信する。具体的には、図２Ｄの（ａ）の表示入力部３０ｂに示す「確認開始」アイコンを押下することで、計測開始信号が送信される。これにより、図２Ｄの（ｂ）の表示入力部３０ｂには、良否判定を「確認中」である画面が表示される。
【００３６】
無線通信装置２１は、計測開始信号を受信することで、図２Ｃに示すように、配下の照明器具群である照明器具１〜ｎに電波計測信号を送信する。この信号の送信は、各照明器具１〜ｎにユニキャストで個別送信されてもよいし、各照明器具１〜ｎにマルチキャストで一斉送信されてもよい。
【００３７】
電波計測信号を受信した各照明器具１〜ｎは、それぞれが受信した電波計測信号の電波強度を自動で計測する。そして、各照明器具１〜ｎは、電波強度に関する電波強度情報を、無線通信装置２１に返信する。電波強度情報には、計測した電波強度（RSSI：Received  Signal  Strength  Indicator）が含まれている。電波強度情報には、電波強度の計測日時、または、照明器具自身の識別子が含まれていてもよい。
【００３８】
次に、無線通信装置２１は、送信された電波強度情報を自動で集計し、集計した電波強度情報を端末装置３０に送信する。無線通信装置２１から送信される電波強度情報には、電波強度の他に、電波強度の集計日時、または、無線通信装置２１自身の識別子が含まれていてもよい。なお、各電波強度情報は、上記のように制御部２０ｃで集計された後に端末装置３０に送信されてもよいが、それに限られず、個別に端末装置３０に送信された後に端末装置３０で集計されてもよい。
【００３９】
次に、端末装置３０は、送信された各電波強度情報に基づいて、電波環境が良好状態であるか否かの判定を自動で行う。本実施の形態において、端末装置３０の判定部３０ｄは、照明器具１〜ｎの全ての電波強度情報の返信を確認できた場合に良好状態であると判定し、また、照明器具１〜ｎのうち少なくとも１つの電波強度情報の返信を確認できなかった場合に良好状態でないと判定する。そして、得られた判定結果を表示入力部３０ｂに表示する。例えば、判定結果がＮＧ（良好状態でない）であれば、図２Ｄの（ｃ）のようにＮＧ画面が表示され、判定結果がＧ（良好状態）であれば図２Ｄの（ｄ）に示すようにＧ画面が表示される。
【００４０】
具体的には、図２Ｅに示すフローに基づいて良否判定が行われる。図２Ｅは、実施の形態１の照明システム１００において電波強度情報の返信有無を確認するフローチャートである。
【００４１】
図２Ｅに示すように端末装置３０は、１台目の照明器具１からｎ台目の照明器具ｎまで順に以下に示す確認を行う（Ｓ１１のＹ）。例えば、制御部３０ｃに照明器具１に関する情報が存在する場合（Ｓ１２のＹ）、すなわち、照明器具１からの電波強度情報の返信が制御部３０ｃにて確認された場合は、照明器具１をＧ（良好）に分類する（Ｓ１３）。一方、制御部３０ｃに照明器具１に関する情報が存在しない場合（Ｓ１２のＮ）、すなわち、照明器具１からの電波強度情報の返信が制御部３０ｃにて確認されなかった場合は、照明器具１をＮＧ（不良）に分類する（Ｓ１４）。この分類を終えるとステップＳ１１に戻り、照明器具２〜ｎに対して同様の確認を行う。そして、全数の照明器具１〜ｎについて確認が終了すれば（Ｓ１１のＮ）、次のステップに進み、ＮＧ分類された照明器具の有無を判断する（Ｓ２１）。ここで、ＮＧ分類された照明器具が無ければ（Ｓ２１のＹ）、照明システム１００が良好状態であると判定し、表示入力部３０ｂにてＧ画面を表示する（Ｓ２２）。一方、ＮＧ分類された照明器具が有れば（Ｓ２１のＮ）、照明システム１００が良好状態でないと判定し、表示入力部３０ｂにてＮＧ画面を表示する（Ｓ２３）。
【００４２】
例えば、ＮＧ画面となる状況としては、ペアリング設定後に無線通信装置２１と照明器具との間に障害物が置かれた場合や、後発的に照明器具に不具合が生じた場合などが考えられるが、上記に示すような良否判定を行うことで、良好状態に変えるための対策を施すことが可能となる。すなわち、利用者に照明システム１００を引き渡す前に、本実施の形態の良否判定を行うことで、照明システム１００の電波環境に関する信頼性を向上することができる。
【００４３】
また、本実施の形態では、端末装置３０から計測開始信号を送信した後は、端末装置３０等に対して特段の操作をする必要が無く、自動で判定結果を取得することができる。このようにワンタッチの操作で判定結果を取得できるので、照明システム１００の良否を確認する者の作業効率を向上することができる。
【００４４】
（実施の形態２）
次に、実施の形態２に係る照明システム１００について説明する。実施の形態２に係る照明システム１００では、電波強度の大きさによって照明システム１００の良否判定を行う。
【００４５】
図３は、実施の形態２に係る照明システムにおいて電波強度を確認するフローチャートである。
【００４６】
図３に示すように端末装置３０は、実施の形態１と同様のステップＳ１２にて電波強度情報の返信を確認した後（Ｓ１２のＹ）、その電波強度情報に含まれる電波強度の大きさを確認する（Ｓ１２Ａ）。具体的には、照明器具１から返信された電波強度が予め定められた基準値（電波強度Ｘ）より大きい場合（Ｓ１２ＡのＹ）は、照明器具１をＧに分類する（Ｓ１３）。一方、電波強度が上記基準値以下である場合（Ｓ１２ＡのＮ）は、照明器具１をＮＧに分類する（Ｓ１４）。この分類を終えるとステップＳ１１に戻り、照明器具２〜ｎに対して同様の確認を行う。そして、判定部３０ｄは、ＮＧ分類された照明器具が無ければ（Ｓ２１のＹ）、照明システム１００が良好状態であると判定し、ＮＧ分類された照明器具が有れば（Ｓ２１のＮ）、照明システム１００が良好状態でないと判定する。
【００４７】
実施の形態２の照明システム１００のように、無線通信装置２１および各照明器具１〜ｎの電波強度の大きさを確認することで、照明システム１００の良否を正確に把握することができる。これにより、照明システム１００の電波環境に関する信頼性を高めることができる。
【００４８】
（実施の形態３）
次に、実施の形態３に係る照明システム１００について説明する。実施の形態３は、実施の形態１における電波強度情報の収集を複数回行う形態である。本実施の形態は、例えば照明システム１００が、揺らぎのある電波環境を有する場合に用いられる。
【００４９】
図４Ａは、実施の形態３に係る照明システム１００の良否判定フローを示す図である。
【００５０】
まず、端末装置３０から無線通信装置２１に１回目の計測開始信号を送信する。無線通信装置２１は、この計測開始信号を受信することで、配下の照明器具群である照明器具１〜ｎに電波強度の返信要求を行う。返信要求を受けた各照明器具１〜ｎは、１回目の電波強度情報を無線通信装置２１に返信する。無線通信装置２１は、１回目の電波強度情報を集計して端末装置３０へ送信する。
【００５１】
１回目の電波強度情報を受けた端末装置３０は、無線通信装置２１に２回目の計測開始信号を自動で送信する。無線通信装置２１は、この計測開始信号を受信することで、１回目と同じ照明器具１〜ｎに電波強度の返信要求を行う。返信要求を受けた各照明器具１〜ｎは、２回目の電波強度情報を無線通信装置２１に返信する。無線通信装置２１は、２回目の電波強度情報を集計して端末装置３０へ送信する。
【００５２】
同様に、端末装置３０、無線通信装置２１および照明器具１〜ｎにて、これらの計測開始信号の送信、電波強度の返信要求、および、電波強度情報の返信および集計を自動で行う。判定部３０ｄは、各電波強度情報の集計情報を確認し、電波強度情報の返信回数が基準回数（Ｘ回）以上であれば良好状態であると判定し、基準回数より少なければ良好状態でないと判定する。
【００５３】
図４Ｂは、実施の形態３に係る照明システム１００において電波強度情報の返信回数を確認するフローチャートである。
【００５４】
図４Ｂに示すように端末装置３０は、照明器具１〜ｎまで順に以下に示す確認を行う（Ｓ１１のＹ）。例えば、制御部３０ｃに照明器具１に関する情報がＸ回以上存在する場合（Ｓ１２ＢのＹ）、すなわち、照明器具１からの返信回数が基準回数以上確認された場合は、照明器具１をＧに分類する（Ｓ１３）。一方、制御部３０ｃに照明器具１に関する情報がＸ回以上存在しない場合（Ｓ１２ＢのＮ）、すなわち、照明器具１からの返信回数が基準回数以上確認されなかった場合は、照明器具１をＮＧに分類する（Ｓ１４）。この分類を終えるとステップＳ１１に戻り、照明器具２〜ｎに対して同様の確認を行う。そして実施の形態１と同様に、判定部３０ｄは、ＮＧ分類された照明器具が無ければ（Ｓ２１のＹ）、照明システム１００が良好状態であると判定し、ＮＧ分類された照明器具が有れば（Ｓ２１のＮ）、照明システム１００が良好状態でないと判定する。
【００５５】
実施の形態３の照明システム１００のように、電波強度情報の返信回数を確認することで、得られる情報の確度を高めることができる。これにより、照明システム１００が揺らぎのある電波環境を有する場合であっても、照明システム１００の信頼性を高めることができる。
【００５６】
（実施の形態４）
［４−１．照明システムの構成］
次に、実施の形態４に係る照明システム１００Ａについて説明する。図５Ａは、照明システム１００Ａの模式図である。図５Ｂは、照明システム１００Ａの構成を示すブロック図である。
【００５７】
実施の形態４の照明システム１００Ａは、照明器具１〜ｎをそれぞれ有する照明器具群１１、１２および１３と、複数の無線通信装置２１、２２および２３と、照明コントローラ４０と、端末装置３０とを備える。照明器具群１１の照明器具１〜ｎと無線通信装置２１とは無線ｒ１によって通信可能であり、照明器具群１２の照明器具１〜ｎと無線通信装置２２とは無線ｒ１によって通信可能であり、照明器具群１３の照明器具１〜ｎと無線通信装置２３とは無線ｒ１によって通信可能である。無線通信装置２１、２２、２３と照明コントローラ４０とは有線で接続されている。端末装置３０は、無線ｒ３によって、照明コントローラ４０と通信可能となっている。
【００５８】
無線通信装置２１〜２３のそれぞれは、各照明器具１〜ｎと通信する通信部２０ａと、照明コントローラ４０と通信する通信部２０ｂと、通信部２０ａおよび通信部２０ｂに接続された制御部２０ｃとを備えている。制御部２０ｃは、照明コントローラ４０を介して端末装置３０から発信される計測開始信号を受け取る。制御部２０ｃは、この計測開始信号を受け取ることで、通信部２０ａを介して配下の照明器具１〜ｎに電波計測信号を送信する。また、制御部２０ｃは、配下の照明器具１〜ｎから送信された各電波強度情報を集計し、この集計された情報を、通信部２０ｂを介して照明コントローラ４０に送信する。
【００５９】
照明コントローラ４０は、無線通信装置２１〜２３を統括する親機コントローラである。照明コントローラ４０は、通信部４０ａと、通信部４０ｂと、通信部４０ａおよび４０ｂに接続された制御部４０ｃとを備えている。制御部４０ｃは、端末装置３０の計測開始信号を受信することで、通信部４０ａを介して無線通信装置２１〜２３に計測開始信号を送信する。また、制御部４０ｃは、無線通信装置２１〜２３から送信された各電波強度情報の集計情報を、通信部４０ｂを介して端末装置３０に送信する。
【００６０】
端末装置３０は、通信部３０ａと、表示入力部３０ｂと、通信部３０ａおよび表示入力部３０ｂに接続された制御部３０ｃとを備えている。また、制御部３０ｃは、判定部３０ｄと、記憶部３０ｅと、比較部３０ｆとを備えている。制御部３０ｃは、表示入力部３０ｂのキー操作によって入力された指令を、通信部３０ａを介して照明コントローラ４０に送信する。判定部３０ｄは、照明コントローラ４０から送信された各電波強度情報に基づいて、照明システム１００における電波環境が良好状態であるか否かの判定を行う。
【００６１】
本実施の形態では、端末装置３０の判定部３０ｄは、各照明器具群１１〜１３における照明器具１〜ｎの全ての電波強度が基準値より大きい場合に照明システム１００Ａが良好状態であると判定する。また、判定部３０ｄは、各照明器具群１１〜１３における照明器具１〜ｎのうち少なくとも１つの電波強度が基準値以下である場合に照明システム１００Ａが良好状態でないと判定するように構成されている。
【００６２】
［４−２．照明システムの良否判定方法］
次に、照明システム１００Ａの良否判定方法について説明する。図５Ｃは、照明システム１００Ａの良否判定フローを示す図である。
【００６３】
まず、端末装置３０から照明コントローラ４０に計測開始信号を送信する。照明コントローラ４０は、この計測開始信号を受信することで、無線通信装置２１に計測開始信号を送信する。無線通信装置２１は、配下の照明器具群１１である照明器具１〜ｎに電波強度の返信要求を行う。返信要求を受けた各照明器具１〜ｎは、電波強度情報を無線通信装置２１に返信する。無線通信装置２１は、この電波強度情報を集計して照明コントローラ４０へ送信する。さらに照明コントローラ４０は、無線通信装置２１によって集計された電波強度情報を端末装置３０に送信する。
【００６４】
次に、無線通信装置２１の電波強度情報を受けた照明コントローラ４０は、無線通信装置２２に計測開始信号を自動で送信する。無線通信装置２２は、この計測開始信号を受信することで、配下の照明器具群１２である照明器具１〜ｎに電波強度の返信要求を行う。返信要求を受けた各照明器具１〜ｎは、電波強度情報を無線通信装置２２に返信する。無線通信装置２２は、この電波強度情報を集計して照明コントローラ４０へ送信する。さらに照明コントローラ４０は、無線通信装置２２によって集計された電波強度情報を端末装置３０へ送信する。
【００６５】
同様に、端末装置３０、照明コントローラ４０、無線通信装置２１〜２３および照明器具群１１〜１３にて、これらの計測開始信号の送信、電波強度の返信要求、および、電波強度情報の返信および集計を行う。判定部３０ｄは、各電波強度情報の集計情報を確認し、各照明器具群１１〜１３における照明器具１〜ｎの全ての電波強度が基準値より大きい場合に照明システム１００Ａが良好状態であると判定する。また、判定部３０ｄは、各照明器具群１１〜１３における照明器具１〜ｎのうち少なくとも１つの電波強度が基準値以下である場合に照明システム１００Ａが良好状態でないと判定する。
【００６６】
このように、実施の形態４の照明システム１００Ａでは、複数の無線通信装置２１〜２３を有する場合であっても、照明システム１００Ａの電波強度の大きさを確認することで、照明システム１００Ａの良否を正確に把握することができる。これにより、照明システム１００Ａの電波環境に関する信頼性を高めることができる。
【００６７】
また、本実施の形態では、複数の無線通信装置２１〜２３を有する場合であっても、端末装置３０から計測開始信号を送信した後は、端末装置３０等に対して特段の操作をする必要が無く、自動で判定結果を取得することができる。このようにワンタッチの操作で判定結果を取得できるので、照明システム１００Ａの良否を確認する者の作業効率を向上することができる。
【００６８】
（実施の形態５）
次に、実施の形態５の照明システム１００について説明する。実施の形態５は、実施の形態２において電波強度の計測をリトライ（再実行）する形態である。
【００６９】
図６Ａは、実施の形態５に係る照明システム１００の良否判定フローを示す図である。図６Ｂは、実施の形態５に係る照明システム１００の端末装置３０の表示入力部３０ｂを示す図である。
【００７０】
実施の形態５では、まず、端末装置３０にて、無線通信装置２１に計測開始信号を送信する。無線通信装置２１は、計測開始信号を受信することで、図６Ａに示すように、配下の照明器具群である照明器具１〜ｎに電波計測信号を送信する。電波計測信号を受信した各照明器具１〜ｎは、電波強度に関する電波強度情報を無線通信装置２１に返信する。
【００７１】
この段階において、照明システム１００では無線通信装置２１と照明器具２との間の電波強度が弱く、照明器具２から返信される電波強度情報に含まれる電波強度が基準値以下となっている。電波強度が基準値以下であるので、照明システム１００としては良好状態でなく、図６Ｂの（ｃ）に示すように、端末装置３０の表示入力部３０ｂではＮＧ画面が表示される。端末装置３０には、ＮＧ対象となった照明器具２に関する識別子が記憶される。
【００７２】
計測される電波強度の値はある程度のばらつきを持っており、計測する時間帯や外部の電波環境によって変わることもある。そこで、実施の形態５では、電波強度の計測をリトライすることで、いったんＮＧ対象となった照明器具２が本当にＮＧであるか否かの確認を行う。
【００７３】
具体的には、端末装置３０にて、電波強度が基準値以下である照明器具２に電波計測信号を再び送信するか否かの操作を受け付ける画面を表示する。そして、図６Ｂの（ｃ）の「再確認」アイコンが押下され、電波計測信号を再び送信する指令を受け付けると、端末装置３０は、無線通信装置２１に照明器具２を計測対象とする計測開始信号を送信する。無線通信装置２１は、この計測開始信号を受信することで、図６Ａに示すように、照明器具２に電波計測信号を送信する。電波計測信号を受信した照明器具２は、電波強度を計測し、電波強度に関する電波強度情報を無線通信装置２１に返信する。無線通信装置２１は、送信された電波強度情報を端末装置３０に送信する。
【００７４】
端末装置３０の判定部３０ｄは、送信された電波強度情報に基づいて改めて照明システム１００の良否判定を行う。例えば、照明器具２に関する電波強度が基準値以上であれば、照明システム１００の電波環境が良好状態であると判定し、図６Ｂの（ｄ）に示すように表示入力部３０ｂにＧ画面を表示する。なお、電波強度が基準値より小さければ、再び表示入力部にＮＧ画面が表示される。
【００７５】
本実施の形態では、照明システム１００に電波強度のばらつきがある場合であっても、電波強度の計測結果の確度を向上することができる。また、ＮＧ対象となった照明器具２のみに電波計測信号を送信するので、再び全ての照明器具１〜ｎに電波計測信号を送信する場合に比べて、効率的に電波強度情報を取得することができる。
【００７６】
また、本実施の形態では、いったんＮＧ画面が表示された場合であっても、簡易な操作で判定結果を再び取得できるので、照明システム１００の良否を確認する者の作業効率を向上することができる。
【００７７】
（実施の形態６）
次に、実施の形態６の照明システム１００について説明する。実施の形態６は、実施の形態５におけるリトライを複数回行う形態である。
【００７８】
図７は、実施の形態６に係る照明システム１００の端末装置３０の表示入力部３０ｂを示す図である。
【００７９】
実施の形態６の照明システム１００では、実施の形態５においてリトライを重ねるごとに、リトライ回数をカウントアップする。リトライ回数は、例えば端末装置３０の制御部３０ｃにてカウントされる。そして、リトライ回数が予め決められた規定回数Ｘを超えると、リトライを行わずに、図７の（ｄ）に示すように、利用者のサポート画面に移行する。サポート画面には、例えば、ＮＧ状態を解消するための対応事項、または、販売元の連絡先等が示される。
【００８０】
実施の形態６のようにリトライ回数に制限を設けることで、利用者が繰り返し同じ操作を行うことを抑制することができる。これにより、照明システム１００にてリトライを行う場合において、利用者の時間の浪費を抑制することができる。
【００８１】
（実施の形態７）
次に、実施の形態７の照明システム１００について説明する。実施の形態７は、各照明器具１〜ｎの電波強度を表示入力部３０ｂに視覚的に表示する形態である。
【００８２】
図８は、実施の形態７に係る照明システム１００の端末装置３０の表示入力部３０ｂを示す図である。
【００８３】
実施の形態７では、ＮＧ画面またはＧ画面が表示された後、電波強度を表示するための操作をすることで、各照明器具１〜ｎの電波状態を把握できる構成となっている。具体的には、図８の（ｃ）または（ｄ）の「次へ」アイコンを押下することで、図８の（ｅ）または（ｆ）に示すように、各照明器具１〜ｎの電波強度が４段階（最強、良好、普通、確認不可）に模様分けして表示される。なお、電波強度を示す方法としては、上記模様分けに限られず、電波強度の数値そのものを表示する方法であってもよい。
【００８４】
実施の形態７のように、端末装置３０の画面に各照明器具１〜ｎの電波状態を表示することで、利用者が照明システム１００の電波状態を容易に把握することができる。
【００８５】
（実施の形態８）
実施の形態８は、ペアリング作業を中断する場合の形態に関する。例えば、建物内にパーテーションを入れたり、新たな大型機材を入れたりする場合に、ペアリング作業を中断する必要が生じる。このような場面では、無線通信装置２１に対して、照明器具１〜ｎのうちの一部の照明器具１〜ｋ（ｋはｎより小さい整数）がペアリングされ、一部の照明器具１〜ｋと異なる他の照明器具ｋ＋１〜ｎは、ペアリングされていない状況となる。
【００８６】
図９は、実施の形態８に係る照明システム１００の良否判定フローを示す図である。
【００８７】
ペアリング作業を中断する準備として、照明システム１００では、無線通信装置２１からの電波計測信号を一部の照明器具１〜ｋに送信する。一部の照明器具１〜ｋのそれぞれは、電波計測信号を受信することで、電波計測信号の電波強度を計測し、電波強度情報を無線通信装置２１に返信する。無線通信装置２１はこの電波強度情報を集計して、集計情報を端末装置３０に送信する。そして、端末装置３０の記憶部４０ｅにおいて、いったん、照明器具１〜ｋに関する電波強度情報を保存する。
【００８８】
次に、上記の電波強度情報を保存した後にペアリング作業を再開する場合について説明する。その場合、まず、無線通信装置２１に対して複数の照明器具１〜ｎの全てのペアリングを終える。本実施の形態では、このペアリング作業で工事を終わるのでなく、次に示す電波状態の確認作業を行う。具体的には、無線通信装置２１からの電波計測信号を少なくとも一部の照明器具１〜ｋに再び送信する。一部の照明器具１〜ｋのそれぞれは、電波計測信号を受信することで、電波計測信号の電波強度を再び計測し、電波強度情報を無線通信装置２１に返信する。無線通信装置２１はこの電波強度情報を集計して、集計情報を端末装置３０に送信する。
【００８９】
そして、端末装置３０の比較部３０ｆは、ペアリング中断前にいったん保存した電波強度情報に含まれる電波強度と、再開後に再び計測した電波強度とを比較して出力する。これによって、ペアリング作業の中断前後における照明システム１００の電波環境の変化を把握する。これによれば照明システム１００の電波環境が変化する傾向を把握することができ、利用者に照明システム１００を引き渡す際の照明システム１００の信頼性を向上することができる。
【００９０】
（実施の形態９）
図１０Ａは、実施の形態９に係る照明システム１００Ｂの構成を示すブロック図である。図１０Ｂは、照明システムの良否判定フローを示す図である。
【００９１】
照明システム１００Ｂは、複数の照明器具１〜ｎと、無線通信装置２１と、端末装置３０と、サーバ５０とを備える。複数の照明器具１〜ｎのそれぞれと無線通信装置２１とは、無線ｒ１によって通信可能となっている。端末装置３０は、無線ｒ２によって、無線通信装置２１と通信可能となっている。端末装置３０とサーバ５０とは有線で通信可能となっている。
【００９２】
サーバ５０は、外部集中管理装置であり、通信部５０ａと、記憶部５０ｅと、通信部５０ａおよび記憶部５０ｅに接続された制御部５０ｃとを備えている。制御部５０ｃは、判定部５０ｄを備えている。
【００９３】
制御部５０ｃはＣＰＵにより構成され、記憶部５０ｅはＲＡＭおよびＲＯＭなどにより構成される。制御部５０ｃには、通信部５０ａを介して端末装置３０から電波強度情報が送信され、記憶部５０ｅは、送信された電波強度情報を保存する。実施の形態９では、この記憶部５０ｅにて、例えば日々の電波強度情報を蓄積し、電波強度情報をデータベース化できる構成となっている。また、過去に取得した良否判定の結果をエビデンスとして残し、必要に応じて良否判定の結果を引き出すこともできる。
【００９４】
また、実施の形態９では、判定部５０ｄは、端末装置３０から送信された各電波強度情報に基づいて、照明システム１００Ｂにおける電波環境が良好状態であるか否かの判定を行うこともできる。例えば、判定部５０ｄは、照明器具１〜ｎの全ての電波強度情報の返信を確認できた場合に照明システム１００Ｂが良好状態であると判定し、照明器具１〜ｎのうち少なくとも１つの電波強度情報の返信を確認できなかった場合に照明システム１００Ｂが良好状態でないと判定する。
【００９５】
このように、本実施の形態の照明システム１００Ｂでは、サーバ５０を用いて外部から照明システム１００Ｂの電波環境を確認することができる。また、例えば、過去に取得した良否判定結果と現在の良否判定結果とを照らし合わせることで、電波環境の変化傾向を把握することができ、照明システム１００Ｂの電波環境に関する信頼性を向上することができる。
【００９６】
（効果等）
本実施の形態に係る照明システム１００は、電波強度を計測する指示である電波計測信号を送信する無線通信装置２１と、電波計測信号を受信する時に、電波計測信号の電波強度を計測し、電波強度に関する電波強度情報を無線通信装置２１に返信する複数の照明器具１〜ｎと、電波強度または電波強度情報を用いて照明システム１００の状態を判断する判定部と、を備え、判定部は、１）複数の照明器具１〜ｎの全ての電波強度情報の返信を確認できた場合に照明システム１００が良好状態であると判定し、複数の照明器具１〜ｎのうち電波強度情報の返信を確認できない少なくとも１つの照明器具がある場合に照明システム１００が良好状態でないと判定する、または２）複数の照明器具１〜ｎの全ての電波強度が基準値より大きい場合に照明システム１００が良好状態であると判定し、複数の照明器具１〜ｎのうち電波強度が基準値以下である少なくとも１つの照明器具がある場合に照明システム１００が良好状態でないと判定する。このように、電波強度情報の返信の有無または電波強度の大きさによって照明システム１００の電波環境を確認することで、照明システム１００の信頼性を高めることができる。
【００９７】
照明システム１００は、さらに、判定部３０ｄを有する端末装置３０を備え、無線通信装置２１は、送信された電波強度情報を端末装置３０に送信し、端末装置３０の判定部３０ｄは、送信された電波強度情報に基づいて判定を行ってもよい。このような端末装置３０を備えることで、利用者が照明システム１００の電波環境を容易に確認することができる。
【００９８】
また、無線通信装置は複数であり（例えば無線通信装置２１、２２、２３）、さらに、複数の無線通信装置２１、２２、２３と通信する照明コントローラ４０と、判定部３０ｄを有する端末装置３０とを備え、無線通信装置２１、２２、２３のそれぞれは、送信された電波強度情報を照明コントローラ４０に送信し、照明コントローラ４０は、送信された電波強度情報を端末装置３０に送信し、端末装置３０の判定部３０ｄは、送信された電波強度情報に基づいて判定を行ってもよい。これによれば、照明システム１００Ａが複数の無線通信装置２１、２２、２３を備えている場合であっても、照明システム１００Ａの電波環境に関する信頼性を向上することができる。
【００９９】
また、無線通信装置２１は、端末装置３０を発信源とする計測開始信号を受信することで、複数の照明器具１〜ｎに電波計測信号を送信してもよい。これによれば、照明システム１００の利用者が、端末装置３０を用いて照明システム１００の良否判定を容易に開始することができる。
【０１００】
また、照明システム１００が良好状態でないと判定された場合に、端末装置３０は、電波強度が基準値以下である少なくとも１つの照明器具（例えば照明器具２）に電波計測信号を再び送信するか否かの操作を受け付ける画面を表示してもよい。これによれば、照明システム１００の利用者が、端末装置３０を用いて電波強度の計測のリトライを容易に行うことができる。
【０１０１】
また、照明システム１００が良好状態でないと判定された場合に、端末装置３０は、無線通信装置２１に対して、電波強度が基準値以下である少なくとも１つの照明器具（例えば照明器具２）に電波計測信号を再び送信するように、計測開始信号を送信してもよい。このように、電波強度の計測のリトライ時において、電波強度が基準値以下である少なくとも１つの照明器具２に電波計測信号を送信することで、全照明器具１〜ｎに電波計測信号を送信した場合に比べて、効率的に電波強度を取得することができる。
【０１０２】
また、端末装置３０は、上記判定を複数回行い、上記判定の回数が規定回数を超えた場合に、対応事項を画面に表示してもよい。このようにリトライ回数に制限を設けることで、利用者が繰り返し同じ操作を行うことを抑制することができ、利用者の時間の浪費を抑制することができる。
【０１０３】
また、端末装置３０は、複数の照明器具１〜ｎそれぞれの電波強度を画面に表示してもよい。これによれば、利用者が照明システム１００の電波状態を容易に把握することができる。
【０１０４】
さらに、判定部５０ｄを有するサーバ５０を備え、端末装置３０は、送信された電波強度情報をサーバ５０に送信し、サーバ５０の判定部５０ｄは、送信された電波強度情報に基づいて判定を行ってもよい。これによれば、サーバ５０を用いて外部から照明システム１００Ｂの電波環境を確認することができる。
【０１０５】
また、複数の照明器具１〜ｎのそれぞれは、計測した電波強度が基準値より大きい場合に電波状態が良好であると判定し、電波強度が基準値以下である場合に電波状態が良好でないと判定し、判定した結果を自身の点灯状態で示してもよい。これによれば、利用者が照明システム１００の電波環境の良否を視覚的に把握することができる。
【０１０６】
また、無線通信装置２１と複数の照明器具１〜ｎとのペアリングを行う際に、無線通信装置２１に対して複数の照明器具１〜ｎのうち一部の照明器具１〜ｋしかペアリングされておらず、一部の照明器具１〜ｋと異なる他の照明器具ｋ＋１〜ｎのペアリングを中断する場合に、無線通信装置２１は、電波計測信号を一部の照明器具１〜ｋに送信し、一部の照明器具１〜ｋのそれぞれは、電波計測信号を受信することで、電波計測信号の電波強度を計測し、電波強度情報を無線通信装置２１に返信し、端末装置３０は、電波強度情報を保存する記憶部３０ｅを備えていてもよい。これによれば、ペアリング作業の中断前後における照明システム１００の電波環境の変化を把握することが可能となる。
【０１０７】
また、電波強度情報を保存した後、無線通信装置２１に対して複数の照明器具１〜ｎの全てのペアリングを終えた場合に、無線通信装置２１は、電波計測信号を少なくとも一部の照明器具１〜ｋに再び送信し、一部の照明器具１〜ｋのそれぞれは、電波計測信号を受信することで、電波計測信号の電波強度を再び計測し、端末装置３０は、保存した電波強度情報に含まれる電波強度と、再び計測した電波強度とを比較して出力する比較部３０ｆを備えていてもよい。これによれば、ペアリング作業の中断前後における照明システム１００の電波環境の変化を把握することができる。この電波環境の変化を把握することで、利用者に照明システム１００を引き渡す際の照明システム１００の信頼性を向上することができる。
【０１０８】
また、無線通信装置２１は、判定が行われた後において、電波強度が基準値以下である少なくとも１つの照明器具（例えば照明器具２）と通信する場合に、電波計測信号を送信した際よりも送信出力を上げて通信を行ってもよい。これによれば、電波強度が弱い無線通信装置２１と照明器具２との通信品質を向上することができる。
【０１０９】
また、無線通信装置２１は、判定が行われた後において、電波強度が基準値以下である少なくとも１つの照明器具（例えば照明器具２）と通信する場合に、電波計測信号を送信した際よりも通信回数を増やして通信を行ってもよい。これによれば、電波強度が弱い無線通信装置２１と照明器具２との通信品質を向上することができる。
【０１１０】
また、無線通信装置２１は、判定が行われた後において、電波強度が基準値以下である照明器具（例えば照明器具２）と通信する場合に、電波計測信号を送信した際よりも連送レートを低くして通信を行ってもよい。これによれば、電波強度が弱い無線通信装置２１と照明器具２との通信品質を向上することができる。
【０１１１】
本実施の形態に係る照明システム１００の良否判定方法は、複数の照明器具１〜ｎと、複数の照明器具１〜ｎと通信する無線通信装置２１とを備える照明システム１００の良否判定方法であって、電波強度を計測する指示である電波計測信号を複数の照明器具１〜ｎに送信し、電波計測信号を受信する時に、電波計測信号の電波強度を計測し、電波強度に関する電波強度情報を無線通信装置２１に送信し、１）複数の照明器具１〜ｎの全ての電波強度情報の返信を確認できた場合に照明システム１００が良好状態であると判定し、複数の照明器具１〜ｎのうち電波強度情報の返信を確認できない少なくとも１つの照明器具がある場合に照明システム１００が良好状態でないと判定する、または２）複数の照明器具１〜ｎの全ての電波強度が基準値より大きい場合に照明システム１００が良好状態であると判定し、複数の照明器具１〜ｎのうち少なくとも１つの電波強度が基準値以下である場合に照明システム１００が良好状態でないと判定する。この良否判定方法のように、電波強度の返信の有無または電波強度の大きさによって照明システム１００の電波環境を確認することで、照明システム１００の信頼性を高めることができる。
【０１１２】
（その他の形態）
以上、照明システム１００、１００Ａ、１００Ｂ等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１１３】
実施の形態１では、端末装置３０にて照明システム１００の電波環境の良否を判定する例について説明したがそれに限られない。例えば、照明器具１〜ｎのそれぞれが判定部を備え、計測部１０ｄで計測した電波強度が基準値より大きい場合に電波状態が良好であると判定し、また、電波強度が基準値以下である場合に電波状態が良好でないと判定し、判定した結果を自身の点灯状態で示してもよい。この形態によれば、利用者が電波環境の良否を視覚的に把握することができる。
【０１１４】
また、無線通信装置２１が判定部を備え、無線通信装置２１が、照明器具１〜ｎから送信された電波強度情報に基づいて電波状態の良否を判定し、判定した結果に応じて無線通信装置のパイロットランプを点灯してもよい。
【０１１５】
また、実施の形態３において、照明システム１００の電波環境の良否を判定するのは、端末装置３０に限られず、照明コントローラ４０であってもよい。この場合、照明コントローラ４０の判定部が、無線通信装置２１から送信された電波強度情報に基づいて電波状態の良否を判定すればよい。
【０１１６】
また、上記実施の形態では、電波環境を確認する形態を示したが、それに限られず、電波環境を改善する方策として以下に示す形態をとってもよい。
【０１１７】
例えば、無線通信装置２１は、照明システム１００の良否判定が行われた後において、電波強度が基準値以下である照明器具と通信する場合に、電波計測信号を送信した際よりも送信出力を上げて通信を行ってもよい。例えば、無線通信装置２１は、照明システム１００の良否判定が行われた後において、電波強度が基準値以下である照明器具と通信する場合に、電波計測信号を送信した際よりも通信回数を増やして通信を行ってもよい。例えば、無線通信装置２１は、照明システム１００の良否判定が行われた後において、電波強度が基準値以下である照明器具と通信する場合に、電波計測信号を送信した際よりも連送レートを低くして通信を行ってもよい。これらの形態によれば、無線通信装置２１と照明器具との通信品質を向上することができる。
【符号の説明】
【０１１８】
１、２、ｎ  照明器具
２１、２２、２３  無線通信装置
３０    端末装置
３０ｃ  制御部
３０ｄ  判定部
３０ｅ  記憶部
３０ｆ  比較部
４０    照明コントローラ
５０    サーバ
５０ｄ  判定部
１００、１００Ａ、１００Ｂ  照明システム
【図１】
2019008951.tif 000003
【図２Ａ】
2019008951.tif 000004
【図２Ｂ】
2019008951.tif 000005
【図２Ｃ】
2019008951.tif 000006
【図２Ｄ】
2019008951.tif 000007
【図２Ｅ】
2019008951.tif 000008
【図３】
2019008951.tif 000009
【図４Ａ】
2019008951.tif 000010
【図４Ｂ】
2019008951.tif 000011
【図５Ａ】
2019008951.tif 000012
【図５Ｂ】
2019008951.tif 000013
【図５Ｃ】
2019008951.tif 000014
【図６Ａ】
2019008951.tif 000015
【図６Ｂ】
2019008951.tif 000016
【図７】
2019008951.tif 000017
【図８】
2019008951.tif 000018
【図９】
2019008951.tif 000019
【図１０Ａ】
2019008951.tif 000020
【図１０Ｂ】
2019008951.tif 000021